(57)【要約】【課題】水晶振動子に吸着されたガスの吸着強度を評価可能なガスモニタリング装置を提供すること。【解決手段】モニタリング対象となる空気あるいは清浄な空気が導入される空気導入部２１を一端部に設け、導入された空気が排出される空気排出部２２を他端部に設けたケーシング２と、ケーシング２の内部に装填された水晶振動子３とを備えたガスモニタリング装置１において、モニタリング対象となる空気と清浄な空気とが交互に空気導入部２２に供給されるようにしたので、水晶振動子３の表面に残存した物質の残存吸着量を継続して求めれば、当該物質の吸着強度を評価することができる。また、モニタリング対象となる空気が水晶振動子３の表面全体に行き渡るので、モニタリング対象となる物質を水晶振動子３に効率的に吸着させることができる。【選択図】図１
2010271285.tif 000002
【特許請求の範囲】
【請求項１】
モニタリング対象となる空気あるいは清浄な空気が導入される空気導入部を一端部に設け、導入された空気が排出される空気排出部を他端部に設けたケーシングと、該ケーシングの内部に装填された水晶振動子とを備えたガスモニタリング装置であって、
モニタリング対象となる空気あるいは清浄な空気を選択し、前記空気導入部に選択された空気を供給する選択供給手段と、
該選択供給手段を制御し、予め設定された時間ごとに選択された空気を一方から他方に切り換える切換制御手段と
を備えたことを特徴とするガスモニタリング装置。
【請求項２】
清浄な空気からモニタリング対象となる空気への切換直前において水晶振動子に吸着された物質の残存吸着量を求める吸着量導出手段と、
継続して求めた物質の残存吸着量から物質の吸着強度を求める吸着強度導出手段と
を備えたことを特徴とする請求項１に記載のガスモニタリング装置。
【請求項３】
水晶振動子が吸着した物質の吸着量を求めることにより、モニタリング対象となる空気に含まれる物質の濃度をモニタするガスモニタリング方法であって、
モニタリング対象となる空気と清浄な空気とを予め設定された時間ごとに切り換えて前記水晶振動子に供給するとともに、
清浄な空気からモニタリング対象となる空気への切換直前において前記水晶振動子に吸着された物質の残存吸着量を継続して求め、継続して求めた残存吸着量によって物質の吸着強度を求めることを特徴とするガスモニタリング方法。
【請求項４】
モニタリング対象となる空気が導入される空気導入部と、導入された空気が排出される空気排出部を設けたケーシングと、該ケーシングの内部に装填された水晶振動子とを備えたガスモニタリング装置であって、
前記空気導入部は、
モニタリング対象となる空気が水晶振動子の一方の面に斜めに当たり、その後、一方の面に沿って流れるように、ケーシングの側部に設けた第一導入部と、
モニタリング対象となる空気が水晶振動子の他方の面に斜めに当たり、その後、他方の面に沿って流れるように、ケーシングの側部に設けた第二導入部と
を有することを特徴とするガスモニタリング装置。
【請求項５】
モニタリング対象となる空気が導入される空気導入部を一端部に設け、導入された空気が排出される空気排出部を他端に設けたケーシングと、該ケーシングの内部に装填された水晶振動子とを備えたガスモニタリング装置であって、
モニタリング対象となる空気が水晶振動子の表面全体に行き渡るように、水晶振動子を回転させる駆動手段を設けたことを特徴とするガスモニタリング装置。
【発明の詳細な説明】
【技術分野】
【０００１】
本発明は、水晶振動子を用いたガスモニタリング装置およびガスモニタリング方法に関する。
【背景技術】
【０００２】
水晶振動子を用いたガスモニタリング方法として、水晶振動子に電極を設けて形成した汚染センサをクリーンルーム等のチャンバー内に配置して、その汚染センサの電極にケミカル物質を付着させ、その水晶振動子の共振周波数の変化からケミカル汚染度をリアルタイムでモニタするようにしたチャンバー内のケミカル汚染度モニタ方法が提案されている（たとえば、特許文献１参照）。
【０００３】
また、水晶振動子を用いたガスモニタリング装置として、センサと、センサに接続された共振回路と、共振回路に接続された周波数検出器とを備えたケミカルフィルタ終点検知モニタが提案されている。ここで用いられるセンサは、固有の共振周波数で振動する円盤状の水晶振動子と、振動子の両側面に金などで形成された金属電極と、それぞれの電極の接続端子と、金属電極上に形成された周囲の所要のガス成分を吸着するための膜層とを有している。このケミカルフィルタ終点検知モニタによれば、汚染分子が吸着されると、その分だけ膜層の重量が増加するため、水晶振動子の共振周波数が低下する。この共振周波数を周波数検出器により測定することにより、ケミカルフィルタ処理ガス中の汚染分子の基板付着量を測定するようになっている（たとえば、特許文献２参照）。
【０００４】
図６は、ガスモニタリング装置を示す模式図であり、図７は、図６に示したガスモニタリング装置を用いたモニタリング結果を示す図である。
【０００５】
図６に示すガスモニタリング装置７０１は、上述した先行技術を踏まえ、本願の発明者らがケミカル汚染物質の汚染濃度をより正確に計測すべく提案したものであって、一端部にモニタリング対象となる空気を導入する空気導入部７２１を設け、他端部に導入した空気を排出する空気排出部７２２を設けたケーシング７０２と、該ケーシング７０２の内部に装填された水晶振動子７０３とを備えている。このガスモニタリング装置７０１によれば、図７に示すように、時間とともに汚染物質が水晶振動子７０３に吸着されることになる（特願２００８−１５１６１２号参照）。
【先行技術文献】
【特許文献】
【０００６】
【特許文献１】特開２０００−１８０３３２号公報
【特許文献２】特開２００２−１６８７４８号公報
【発明の概要】
【発明が解決しようとする課題】
【０００７】
しかしながら、上述したガスモニタリング装置７０１では、水晶振動子７０３に吸着されたガスの吸着強度を評価することは難しい。
【０００８】
また、上述したガスモニタリング装置７０１では、モニタリング対象となる空気が水晶振動子７０３にどのように当たるかによって、吸着されるケミカル汚染物質の吸着量が変化することが実験によりわかった。たとえば、同一条件下において、図８に示すように、モニタリング対象となる空気が垂直に当たるように水晶振動子７０３を配置した場合（以下、垂直配置の場合という）には吸着量が９８ng/cm２となるのに対して、図９に示すように、モニタリング対象となる空気と平行となるように水晶振動子７０３を配置した場合（以下、水平配置の場合という）に吸着量が１３３ng/cm２となる。垂直配置の場合が水平配置の場合よりも吸着量が少ないのは、垂直配置の場合に水晶振動子７０３の影となる面（裏面）が空気と接触しにくいことによるものであると解される。一方、水平配置の場合は水晶振動子７０３の全体が空気に触れることから、垂直配置の場合の２倍の吸着量となることが予想されたが、約１．４倍の吸着量しか得られなかった。この結果は、空気導入部７２１から導入される空気の流速を半分（１／２）にした場合、１．５倍にした場合も同様である。このことからモニタリング対象となる空気の流れる方向と水晶振動子７０３との関係には最適なものがあると解される。
【０００９】
本発明は、上記に鑑みてなされたものであって、水晶振動子に吸着されたガスの吸着強度を評価可能なガスモニタリング装置およびガスモニタリング方法を提供すること、モニタリング対象となる空気の流れる方向と水晶振動子との関係を最適化するガスモニタリング装置を提供することを目的とする。
【課題を解決するための手段】
【００１０】
上述した課題を解決し、目的を達成するために、本発明は、モニタリング対象となる空気あるいは清浄な空気が導入される空気導入部を一端部に設け、導入された空気が排出される空気排出部を他端部に設けたケーシングと、該ケーシングの内部に装填された水晶振動子とを備えたガスモニタリング装置であって、モニタリング対象となる空気あるいは清浄な空気を選択し、前記空気導入部に選択された空気を供給する選択供給手段と、該選択供給手段を制御し、予め設定された時間ごとに選択された空気を一方から他方に切り換える切換制御手段とを備えたことを特徴とする。
【００１１】
また、本発明は、上記ガスモニタリング装置において、清浄な空気からモニタリング対象となる空気への切換直前において水晶振動子に吸着された物質の残存吸着量を求める吸着量導出手段と、継続して求めた物質の残存吸着量から物質の吸着強度を求める吸着強度導出手段とを備えたことを特徴とする。
【００１２】
また、本発明は、水晶振動子が吸着した物質の吸着量を求めることにより、モニタリング対象となる空気に含まれる物質の濃度をモニタするガスモニタリング方法であって、モニタリング対象となる空気と清浄な空気とを予め設定された時間ごとに切り換えて前記水晶振動子に供給するとともに、清浄な空気からモニタリング対象となる空気への切換直前において前記水晶振動子に吸着された物質の残存吸着量を継続して求め、継続して求めた残存吸着量によって物質の吸着強度を求めることを特徴とする。
【００１３】
また、本発明は、モニタリング対象となる空気が導入される空気導入部と、導入された空気が排出される空気排出部を設けたケーシングと、該ケーシングの内部に装填された水晶振動子とを備えたガスモニタリング装置であって、前記空気導入部が、モニタリング対象となる空気が水晶振動子の一方の面に斜めに当たり、その後、一方の面に沿って流れるように、ケーシングの側部に設けた第一導入部と、モニタリング対象となる空気が水晶振動子の他方の面に斜めに当たり、その後、他方の面に沿って流れるように、ケーシングの側部に設けた第二導入部とを有することを特徴とする。
【００１４】
また、本発明は、モニタリング対象となる空気が導入される空気導入部を一端部に設け、導入された空気が排出される空気排出部を他端に設けたケーシングと、該ケーシングの内部に装填された水晶振動子とを備えたガスモニタリング装置であって、モニタリング対象となる空気が水晶振動子の表面全体に行き渡るように、水晶振動子を回転させる駆動手段を設けたことを特徴とする。
【発明の効果】
【００１５】
本発明にかかるガスモニタリング装置は、予め設定された時間ごとに選択された空気を一方から他方に切り換えるので、モニタリング対象となる空気と清浄な空気とが交互に空気導入部に供給され、吸着強度が大きな物質は残存し、吸着強度が小さな物質は脱離することになる。したがって、水晶振動子に残存した物質の残存吸着量を継続して求めれば、吸着強度を評価することができる。
【００１６】
本発明にかかるガスモニタリング方法は、モニタリング対象となる空気と清浄な空気とを予め設定された時間ごとに切り換えて前記水晶振動子に供給するとともに、清浄な空気からモニタリング対象となる空気への切換直前において前記水晶振動子に吸着された物質の残存吸着量を継続して求め、継続して求めた残存吸着量によって物質の吸着強度を求めるので、吸着強度を評価することができる。
【００１７】
本発明にかかるガスモニタリング装置は、ケーシングの側部に設けた第一導入部から導入されたモニタリング対象となる空気が水晶振動子の一方の面に斜めに当たり、その後、一方の面に沿って流れるとともに、ケーシングの側部に設けた第二導入部から導入された計測対象となる空気が水晶振動子の他方の面に斜めに当たり、その後、他方の面に沿って流れるので、モニタリング対象となる物質を水晶振動子に効率的に吸着させることができる。
【００１８】
本発明にかかるガスモニタリング装置は、水晶振動子を回転させることにより、モニタリング対象となる空気が水晶振動子の表面全体に行き渡るので、モニタリング対象となる物質を水晶振動子に効率的に吸着させることができる。
【図面の簡単な説明】
【００１９】
【図１】図１は、本発明の実施の形態１であるガスモニタリング装置を示す模式図である。
【図２】図２は、強固に吸着された物質Ａのモニタリング結果を示す図である。
【図３】図３は、容易に離脱される物質Ｂのモニタリング結果を示す図である。
【図４】図４は、本発明の実施の形態２であるガスモニタリング装置を示す模式図である。
【図５】図５は、本発明の実施の形態３であるガスモニタリング装置を示す模式図である。
【図６】図６は、先行技術であるモニタリング装置を示す模式図である。
【図７】図７は、図６に示したモニタリング装置を用いたモニタリング結果を示す図である。
【図８】図８は、モニタリング対象となる空気が垂直に当たるように水晶振動子を配置したモニタリング装置を示す模式図である。
【図９】図９は、モニタリング対象となる空気と平行となるように水晶振動子を配置したモニタリング装置を示す模式図である。
【発明を実施するための形態】
【００２０】
以下に、本発明にかかるガスモニタリング装置の実施の形態を図面に基づいて詳細に説明する。なお、この実施の形態によりこの発明が限定されるものではない。
【００２１】
（実施の形態１）
まず、図１〜図３に基づいて、本発明の実施の形態１であるガスモニタリング装置について説明する。なお、図１は、本発明の実施の形態１であるガスモニタリング装置を示す模式図であり、図２は、吸着強度が大きな物質Ａのモニタリング結果を示す図、図３は、吸着強度が小さな物質Ｂのモニタリング結果を示す図である。
【００２２】
図１に示すガスモニタリング装置１は、半導体や液晶デバイスの生産・開発用のクリーンルームの内部に設置され、ケミカル汚染物質をリアルタイムで計測できるようにしたものである。
【００２３】
図１に示すように、ガスモニタリング装置１は、ケーシング２の内部に水晶振動子（ＱＣＭ）３を装填したものである。
【００２４】
ケーシング２は、円筒形状をした箱体であって、モニタリング対象となる空気（クリーンルームの室内空気）あるいは清浄な空気が導入される空気導入部２１を一端部に設け、導入された空気が排出される空気排出部２２を他端部に設けてある。
【００２５】
空気導入部２１には、バルブ（選択供給手段）４が接続してある。バルブ４は、モニタリング対象となる空気あるいは清浄な空気を選択し、選択された空気を空気導入部２１から供給するようになっている。バルブ４には、バルブ切換コントローラ（切換制御手段）４１が接続してある。バルブ切換コントローラ４１は、バルブ４を切換制御するもので、本実施の形態にかかるバルブ切換コントローラ４１は、予め設定した時間ごとに選択された空気を一方から他方に切り換えるようになっている。たとえば、モニタリング対象となる空気が選択され、モニタリング対象となる空気が空気導入部２１から供給されている場合に、予め設定された時間が経過すると、選択された空気がモニタリング対象となる空気から清浄な空気に切り換えられ、清浄な空気が空気導入部２１から供給されるようになる。同様に、清浄な空気が選択され、清浄な空気が空気導入部２１に供給されている場合に、予め設定された時間が経過すると、選択された空気が清浄な空気からモニタリング対象となる空気に切り換えられ、モニタリング対象となる空気が空気導入部２１に供給されるようになる。すなわち、モニタリング対象となる空気と清浄な空気とが予め設定された時間ごとに切り替わり、空気導入部２１に供給されることになる。なお、予め設定された時間は、任意に設定されるが、ここでは、三時間が設定されているものとする。
【００２６】
空気排出部２２は、吸引ポンプ（空気排出手段）接続される開口であって、吸引ポンプが稼働すると、モニタリング対象となる空気あるいは清浄な空気が空気導入部２１を介してケーシング２の内部に一定速度で強制的に導入され、その後、空気排出部２２を介してケーシング２の外部に排出されるようになっている。
【００２７】
水晶振動子３は、水晶片３１と、水晶片３１の両側表面に設けられた一対の電極３２と、電極３２の少なくとも一方に積層されたシリコンウエハ３３とを有しており、ケミカル汚染物質は、シリコンウエハ３３に吸着されるようになっている。
【００２８】
水晶振動子３の電極３２には、共振回路５１が接続されている。共振回路５１は、水晶振動子３を共振させるためのもので、電源５２が接続され、電源５２から電力が供給されるようになっている。また、共振回路５１には、周波数カウンタ５３が接続され、水晶振動子３が共振した周波数をカウントするようになっている。
【００２９】
周波数カウンタ５３には、データ処理装置（ＰＣ）５４が接続されている。データ処理装置５４は、シリコンウエハがケミカル汚染物質を吸着することにより生じる重力変化を水晶振動子３が共振周波数変化として出力することを用い、周波数カウンタ５３がカウントした周波数からシリコンウエハがケミカル汚染物質を吸着することにより生じる重量変化を算出するようになっている。また、データ処理装置５４は、清浄な空気からモニタリング対象となる空気への切換直前において水晶振動子３に吸着された物質の残存吸着量を継続して求めるとともに、継続して求めた物質の残存吸着量から物質の吸着強度を求めるようになっている。
【００３０】
上述した実施の形態１であるガスモニタリング装置１は、モニタリング対象となる空気が選択され、モニタリング対象となる空気がバルブ４から空気導入部２１を介してケーシングの内部に供給されると、図２および図３に示すように、時間の経過とともにケミカル汚染物質の吸着量（重量）が増加する。ここで、単位時間あたりの変化量（吸着速度）と空気量との関係をみれば、ケミカル汚染物質の空気中濃度が推定できる。また、平均的な吸着量変化のデータを用意しておけば、これと日々のデータを比較することによって、異常事態の発生や室内汚染物質濃度の変動を感知することもできる。
【００３１】
そして、予め設定された時間が経過すると、バルブ切換コントローラ４１によって、選択された空気がモニタリング対象となる空気から清浄な空気に切り換えられ、清浄な空気がバルブ４から空気導入部２１を介してケーシング２の内部に供給される。すると、図２および図３に示すように、時間の経過とともにケミカル汚染物質の吸着量（重量）が減少する。これは、清浄な空気によって、水晶振動子３からケミカル汚染物質が脱離したことを意味する。
【００３２】
したがって、モニタリング対象となる空気と清浄な空気とが予め設定された時間ごとに切り替わり空気導入部２１に供給されると、図２および図３に示すように、ケミカル汚染物質の吸着量は、増加と減少を繰り返すことになる。
【００３３】
そして、データ処理装置５４が、清浄な空気からモニタリング対象となる空気への切換直前において水晶振動子３に吸着されたケミカル汚染物質の吸着量（残存吸着量）を継続して求めれば、当該物質の吸着強度を求めることができる。
【００３４】
すなわち、図２および図３に示すように、ケミカル汚染物質の吸着量が最小となる時点（清浄な空気からモニタリング対象となる空気への切換直前）の吸着量をプロットすれば、当該物質の吸着強度を求めることができる。吸着強度は、直線で近似することができ、たとえば、図２に示すＡ物質の吸着強度ＹＡは、ＹＡ＝ａＸ＋ＣＡで表すことができ、図３に示すＢ物質の吸着強度ＹＢは、ＹＢ＝ｂＸ＋ＣＢで表すことができる。したがって、この直線の傾きがケミカル汚染物質の吸着強度として評価される。なお、図２および図３において、傾きはａ＞ｂとなるので、Ａ物質はＢ物質よりも吸着強度が大きく、半導体や液晶デバイスの生産に悪影響を与えると解される。
【００３５】
ところで、水晶振動子（ＱＣＭ）表面への汚染物質の表面濃度の変化は下記数式１によって表されることが知られている（「有機汚染物質／アウトガスの発生メカニズムとトラブル対策事例集」技術情報協会、２００８年１月、ｐ．１１９−１２７参照）。
【００３６】
【数１】
2010271285.tif 000003
【００３７】
清浄空気を導入した場合には、Ｃｘ≒０となるので、上記数式１は、下記数式２に近似できる。
【００３８】
【数２】
2010271285.tif 000004
【００３９】
したがって、物質Ｘの脱離速度定数（Ｋｄｅ，ｘ）が大きければ物質Ｘの表面濃度はすばやく減少し、０に近づくことになる。一方、物質Ｘの脱離速度定数（Ｋｄｅ，ｘ）が小さければ物質Ｘの表面濃度は減少しにくく、物質Ｘは脱離しないで表面に残存し、ある表面濃度に漸近することになる。このことは、上述した実施の形態１により求められた吸着強度と整合する。
【００４０】
上述した実施の形態１であるガスモニタリング装置１は、モニタリング対象となる空気と清浄な空気とが交互に空気導入部２１に供給されるので、吸着強度が大きな物質は水晶振動子３の表面に残存し、吸着強度が小さな物質は水晶振動子３の表面から脱離する。したがって、水晶振動子３の表面に残存した物質の残存吸着量を継続して求めれば、当該物質の吸着強度を評価することができる。
【００４１】
上述した実施の形態１であるガスモニタリング装置１は、クリーンルームの室内空気のモニタリングのほかに、各種材料から放出されるアウトガスのモニタリングにも適用できる。より具体的には、シリコンウエハや基板に吸着されやすいガス成分がクリーンルームを構成する材料から発生するか否かを評価する際にも適用できる。したがって、ケミカル汚染物質の影響を考慮してクリーンルームを設計・建設・運用することができる。すなわち、適切なケミカルフィルタの使用（フィルタ種類・稼働時間の最適化）やケミカル汚染物質が放出されない材料の選択が可能となり、低コスト、低消費エネルギーが実現できる。
【００４２】
（実施の形態２）
つぎに、図４に基づいて、本発明の実施の形態２であるガスモニタリング装置を説明する。なお、図４は、本発明の実施の形態２であるガスモニタリング装置を示す模式図である。また、実施の形態１であるガスモニタリング装置と共通する構成については説明を省略する。
【００４３】
図４に示すガスモニタリング装置１０１は、半導体や液晶デバイスの生産・開発用のクリーンルームの内部に設置され、ケミカル汚染物質をリアルタイムで計測できるようにしたものである。
【００４４】
図４に示すように、ガスモニタリング装置１０１は、ケーシング１０２の内部に水晶振動子（ＱＣＭ）１０３を装填したものである。ケーシング１０２は、円筒形状をした箱体であって、長手方向（図４において左右方向）に平行に水晶振動子１０３が装填してある。また、ケーシング１０２には、モニタリング対象となる空気が導入される空気導入部１２１と、導入された空気が排出される空気排出部１２２とが設けてある。
【００４５】
空気導入部１２１は、モニタリング対象となる空気が水晶振動子１０３の一方の面に斜めに当たり、その後、一方の面に沿って流れるように、ケーシング１０２の側部に斜めに設けた第一導入部１２１ａと、モニタリング対象となる空気が水晶振動子１０３の他方の面に斜めに当たり、その後、他方の面に沿って流れるようにケーシング１０２の側部に斜めに設けた第二導入部１２１ｂとにより構成されている。
【００４６】
空気排出部１２２は、空気導入部１２１の下流となる端部に設けられた開口であって、吸引ポンプ（空気排出手段）が接続されている。
【００４７】
上述した実施の形態２であるガスモニタリング装置１０１は、吸引ポンプが稼働すると、第一導入部１２１ａと第二導入部１２１ｂとからモニタリング対象となる空気が一定速度で導入され、導入された空気は水晶振動子１０３の表面（一方の面と他方の面）に斜めに当たり、表面に沿って流れる。そして、モニタリング対象となる空気に含まれるケミカル汚染物質は、水晶振動子１０３の表面に吸着されることになる。
【００４８】
上述した実施の形態２であるガスモニタリング装置１０１は、第一導入部１２１ａと第二導入部１２１ｂとから導入された空気が水晶振動子１０３の表面（一方の面と他方の面）に斜めに当たり、表面に沿って流れるので、モニタリング対象となる物質を水晶振動子１０３に効率的に吸着させることができる。
【００４９】
（実施の形態３）
つぎに、図５に基づいて、本発明の実施の形態３であるガスモニタリング装置を説明する。なお、図５は、本発明の実施の形態３であるガスモニタリング装置を示す模式図である。また、実施の形態１であるガスモニタリング装置と共通する構成については説明を省略する。
【００５０】
図５に示すガスモニタリング装置２０１は、半導体や液晶デバイスの生産・開発用のクリーンルームの内部に設置され、ケミカル汚染物質をリアルタイムで計測できるようにしたものである。
【００５１】
図５に示すように、ガスモニタリング装置２０１は、ケーシング２０２の内部に水晶振動子（ＱＣＭ）２０３を装填したものである。ケーシング２０２は円筒形状をした箱体であって、モニタリング対象となる空気（クリーンルームの室内空気）が導入される空気導入部２２１を一端部に設け、導入された空気が排出される空気排出部２２２を他端部に設けてある。
【００５２】
空気導入部２２１は、クリーンルームに臨む開口であって、クリーンルームの空気は空気導入部２２１からケーシング２０２の内部に導入されるようになっている。空気排出部２２２は、吸引ポンプ（空気排出手段）に接続される開口であって、吸引ポンプを稼働すると、空気導入部２２１からケーシングの内部にモニタリング対象となる空気が一定速度で強制的に導入され、その後、空気排出部２２２からケーシング２０２の外部に排出されるようになっている。
【００５３】
水晶振動子２０３は、ケーシング２０２に対して回転可能に装填してあり、ケーシング２０２の外部に設けられた駆動手段（たとえば、モータ）によって一定速度で回転するようになっている。水晶振動子２０３の回転速度は、１回転／１０分程度のゆっくりした速度が好ましい。これは、水晶振動子２０３の回転速度が速いと水晶振動子２０３の共振状態に影響を与えることによるものである。また、回転方向は一方向でもよいが所定時間ごとに回転方向を変更してもよい。
【００５４】
上述した実施の形態３であるガスモニタリング装置２０１は、吸引ポンプが稼働すると、空気導入部２２１からモニタリング対象となる空気が一定速度で導入され、導入された空気は水晶振動子の周りを通って空気配排出部から排出される。このとき、水晶振動子は回転しているので、モニタリング対象となる空気が水晶振動子の全体に行き渡る。
【００５５】
上述した実施の形態３であるガスモニタリング装置２０１は、水晶振動子２０３を回転させることにより、モニタリング対象となる空気が水晶振動子２０３の表面全体に行き渡るので、モニタリング対象となる物質を水晶振動子２０３に効率的に吸着させることができる。
【００５６】
なお、上述した実施の形態３であるガスモニタリング装置２０１は、ケーシング２０２の一端部に空気導入部２２１を設けることとしたが、上述した実施の形態２であるガスモニタリング装置と同様に、ケーシング２０２の側部に斜めに第一導入部と第二導入部とを設けるようにしてもよい。
【符号の説明】
【００５７】
１    ガスモニタリング装置
２    ケーシング
２１    空気導入部
２２    空気排出部
３    水晶振動子
３１    水晶片
３２    電極
３３    シリコンウエハ
４    バルブ（選択供給手段）
４１    バルブ切換コントローラ（切換制御手段）
５１    共振回路
５２    電源
５３    周波数カウンタ
５４    データ処理装置
１０１    ガスモニタリング装置
１０２    ケーシング
１０３    水晶振動子
１２１    空気導入部
１２１ａ    第一導入部
１２１ｂ    第二導入部
１２２    空気排出部
２０１    ガスモニタリング装置
２０２    ケーシング
２０３    水晶振動子
２２１    空気導入部
２２２    空気排出部
【図１】
2010271285.tif 000005
【図２】
2010271285.tif 000006
【図３】
2010271285.tif 000007
【図４】
2010271285.tif 000008
【図５】
2010271285.tif 000009
【図６】
2010271285.tif 000010
【図７】
2010271285.tif 000011
【図８】
2010271285.tif 000012
【図９】
2010271285.tif 000013